(57)【特許請求の範囲】
【請求項１】
容器口部に取り付けられ先端が細い中栓部材と、
この中栓部材を覆って容器口部の基端部のねじ部にねじ込まれ当該中栓部材の先端部とでシールされる内装キャップと、
この内装キャップを覆って回転可能かつ限られた範囲で軸方向に移動可能に装着され押し下げ回転で前記内装キャップと一体化して回転可能とするとともに回転のみでは遊転可能とされた外装キャップとからなる安全キャップであって、
前記中栓部材を、容器口部先端に当てられる円板部から突出させて中栓部を形成して構成し、
前記内装キャップの天面部内側に前記中栓部の細い先端部とのシールを確保するシール用パッキンを装着し、さらに、前記内装キャップの中間部内側に前記円板部に当接可能かつ締め代を規制する小径部を形成する一方、前記内装キャップの小径部の外側に円錐面状に構成された段差部を形成し、この段差部と前記外装キャップの天面とのいずれか一方に、押し下げ回転で一体化でき、回転のみで遊転させるラチェット機構を構成するラチェット歯部とラチェット爪部とのいずれか一方を設け、この段差部と前記外装キャップの天面とのいずれか他方に、ラチェット機構を構成するラチェット歯部とラチェット爪部とのいずれか他方を設けてなることを特徴とする安全キャップ。
【請求項２】
前記内装キャップと前記外装キャップとの間に、遊転状態を保持可能な付勢手段を設けてなることを特徴とする請求項１記載の安全キャップ。
【請求項３】
前記ラチェット機構を構成するラチェット歯部を、肉抜き構造として形成したことを特徴とする請求項１または２記載の安全キャップ。
【請求項４】
前記中栓部材の先端部と前記内装キャップとのシールに替え、または当該シールに加え、前記中栓部材に、内容物の漏洩を防止する弁機構を設けてなることを特徴とする請求項１〜３のいずれかに記載の安全キャップ。
【請求項５】
前記中栓部材と、前記容器内の内容物を受ける需要側部材との間に、弁体とこれを閉方向に付勢する付勢手段とを備えるソケットと、弁体とこれを閉方向に付勢する付勢手段とを備えるとともに、前記ソケットと着脱可能に嵌合連結され嵌合連結状態で両弁体を開放して連通可能なプラグとから構成されるカップラーのいずれか一方またはいずれか他方を設けてなることを特徴とする請求項１〜４のいずれかに記載の安全キャップ。
【請求項６】
前記容器が、液体燃料用容器であることを特徴とする請求項１〜５のいずれかに記載の安全キャップ。
【請求項７】
前記容器が、メタノール用の容器であることを特徴とする請求項１〜６のいずれかに記載の安全キャップ。
【発明の詳細な説明】
【技術分野】
【０００１】
この発明は安全キャップに関し、小径の中栓部を備える場合でも必要な締め付けトルク（開栓トルク）を確保でき、子供などが開けようとしても簡単に開けることができず、特にメタノール燃料電池のメタノールのカートリッジ容器のキャップとして好適なものである。
【背景技術】
【０００２】
内容物が入れられる容器の中には、使用開始後の密封の必要のあるものがあり、ねじ式のキャップを設けて開けたり閉めたりできるようにするとともに、容器からの内容物の取り出しを容易にするため、容器口部の形状が内容物の状態やそれを利用する側の条件にあったものが採用されており、例えば液体を内容物とする容器のひとつに容器口部に先端が細い中栓を取り付けることで、液体を細くしたり、滴下して確実に取り出せるようにするものがある。
【０００３】
このような容器としては、例えば図５に示すように、容器１は、その容器口部２の基端部外周にねじ部３が形成され、その先端に小径の段差部４が形成されてその外周に突き出して係止用突条５が形成してある。一方、この容器口部２に取り付けられる中栓６は、容器口部２の先端面に当てられる円板部７を備え、円板部７の中心部に外側（図面上での上方）に突き出して液体取り出し用の小径円筒状の中栓部８が形成され、円板部７の外周内側（図面上での下方）に突き出して円筒部９が形成され、この円筒部９の内周先端に係止用突条１０が形成してある。
【０００４】
そして、容器１の容器口部２の先端面にパッキン１１を介して中栓６の円板部７を当てるように段差部４の外側に嵌め込み、容器口部２側の係止突条５の下側面に中栓６側の係止用突条１０の上側面を係止することで取り付けられる。
【０００５】
このような中栓６を備えた容器口部２にねじ込まれて密封するキャップ１２は底付き円筒状に形成され、キャップ１２の円筒部内周にねじ部１３が形成されるとともに、円筒部外周に滑り止め用の縦方向の凹凸１４が形成してあり、天面部内側に別体のシール用のパッキン１５が装着してある。
【０００６】
一方、内容物によっては、簡単に開けて取り出せると、内容物の漏洩による無駄が生じたり、子供等による誤飲などの問題が生じるものもあり、確実に密封状態を保持できるようにするため、従来からねじキャップを回して開ける動作に加えて、もう1つの動作、例えば押し下げ動作を講じなければ開けることができない安全キャップ（チャイルドレジスタントキャップ）が採用されており、特許文献1など種々の形式のものが提案されている。
【０００７】
この特許文献1のチャイルドレジスタンスト閉鎖具では、内側キャップ部材と外側キャップ部材とを備え、内側キャップ部材の外周にパルス状の駆動突起を設けるとともに、頂部にラチェット溝を設けておき、外側キャップ部材の外周に駆動突起を設けるとともに、ラチェット溝とラチェット係合する板ばねを天面内側に設けてある。
【特許文献１】特公昭５９−１２５４１号公報
【発明の開示】
【発明が解決しようとする課題】
【０００８】
ところが、上記のねじキャップ式で先端が細い中栓６を備えた容器１では、キャップ１２の締め付け力が、中栓６の中栓部８の先端面がキャップ１２の天面に当たった状態で容器１のねじ部３とキャップ１２のねじ部１３とが接触して発生する摩擦力によって上下で挟み込まれることで定まるが、中栓６の中栓部８の先端が細いためキャップ１２の天面との接触面積が小さく、キャップ１２を過剰に締め込み易く、これによってキャップ１２の天面がパッキン１５とともに、外側（図面上の上方）に膨らむように変形し、さらに容器口部２も小径とされることからキャップ１２を締め付けるねじ部３，１３の径も小さく、ねじ部３、１３自体で発生する摩擦力も小さいことから、十分な締め付け力（開栓トルク）を確保することができなくなってしまうという問題がある。
【０００９】
一方、特許文献1などに記載の簡単に開けられないようにするための機構は、比較的大きな口径の容器口部に採用されるもので、内側キャップの頂部と外側キャップの天面との間にラチェット機構を設けるようにしており、容器口部に先端が細い中栓を備えた小口径のねじ式のキャップでは、設置スペースの確保や成形精度の確保が難しくそのまま適用することができないという問題がある。
【００１０】
この発明は、上記従来技術の課題に鑑みてなされたもので、先端が細径の中栓を備える容器であっても必要な締め付けトルク（開栓トルク）を確保することができるとともに、回転動作だけでは開けることができないチャイルドレジスタント効果を有する安全キャップを提供しようとするものである。
【課題を解決するための手段】
【００１１】
上記従来技術の有する課題を解決するためこの発明の請求項１記載の安全キャップは、容器口部に取り付けられ先端が細い中栓部材と、この中栓部材を覆って容器口部の基端部のねじ部にねじ込まれ当該中栓部材の先端部とでシールされる内装キャップと、この内装キャップを覆って回転可能かつ限られた範囲で軸方向に移動可能に装着され押し下げ回転で前記内装キャップと一体化して回転可能とするとともに回転のみでは遊転可能とされた外装キャップとからなる安全キャップであって、前記中栓部材を、容器口部先端に当てられる円板部から突出させて中栓部を形成して構成し、前記内装キャップの天面部内側に前記中栓部の細い先端部とのシールを確保するシール用パッキンを装着し、さらに、前記内装キャップの中間部内側に前記円板部に当接可能かつ締め代を規制する小径部を形成する一方、前記内装キャップの小径部の外側に円錐面状に構成された段差部を形成し、この段差部と前記外装キャップの天面とのいずれか一方に、押し下げ回転で一体化でき、回転のみで遊転させるラチェット機構を構成するラチェット歯部とラチェット爪部とのいずれか一方を設け、この段差部と前記外装キャップの天面とのいずれか他方に、ラチェット機構を構成するラチェット歯部とラチェット爪部とのいずれか他方を設けてなることを特徴とするものである。
【００１２】
この安全キャップによれば、容器口部に取り付けられ先端が細い中栓部材と、この中栓部材を覆って容器口部の基端部のねじ部にねじ込まれ当該中栓部材の先端部とでシールされる内装キャップと、この内装キャップを覆って回転可能かつ限られた範囲で軸方向に移動可能に装着され押し下げ回転で前記内装キャップと一体化して回転可能とするとともに回転のみでは遊転可能とされた外装キャップとからなる安全キャップで、前記中栓部材を、容器口部先端に当てられる円板部から突出させて中栓部を形成して構成し、前記内装キャップの天面部内側に前記中栓部の細い先端部とのシールを確保するシール用パッキンを装着し、さらに、前記内装キャップの中間部内側に前記円板部に当接可能かつ締め代を規制する小径部を形成する一方、前記内装キャップの小径部の外側に円錐面状に構成された段差部を形成し、この段差部と前記外装キャップの天面とのいずれか一方に、押し下げ回転で一体化でき、回転のみで遊転させるラチェット機構を構成するラチェット歯部とラチェット爪部とのいずれか一方を設け、この段差部と前記外装キャップの天面とのいずれか他方に、ラチェット機構を構成するラチェット歯部とラチェット爪部とのいずれか他方を設けてあり、中栓部の細い先端部は内装キャップの天面部内側のシール用パッキンで確実にシールするようにし、内装キャップの小径部を中栓部材の円板部に当てることで、内装キャップの締め代を規制して締め過ぎを防止できるとともに、小径の中栓部を備える場合でも必要な締め付けトルク（開栓トルク）を確保することができる。これにより、遊転状態を確実に確保してチャイルドレジスタント効果を発揮させることもできるようになる。
また、前記内装キャップの小径部の外側に円錐面状の段差部を形成し、この段差部と前記外装キャップの天面とのいずれか一方に、押し下げ回転で一体化でき、回転のみで遊転させるラチェット機構を構成するラチェット歯部とラチェット爪部とのいずれか一方を設け、この段差部と前記外装キャップの天面とのいずれか他方に、ラチェット機構を構成するラチェット歯部とラチェット爪部とのいずれか他方を設けてあり、内装キャップの小径部の外側に円錐面状に段差部を形成することで、空間を確保でき、この空間にラチェット機構を構成するラチェット歯部とラチェット爪部のいずれかを設けることで、ねじ式キャップを大幅に拡大することなくチャイルドレジスタント効果を発揮できるようにしている。
【００１５】
さらに、この発明の請求項２記載の安全キャップは、請求項１記載の構成に加え、前記内装キャップと前記外装キャップとの間に、遊転状態を保持可能な付勢手段を設けてなることを特徴とするものである。
【００１６】
この安全キャップによれば、前記内装キャップと前記外装キャップとの間に、遊転状態を保持可能な付勢手段を設けてあり、例えば内外装キャップの軸方向に移動可能な空間にばね部などの付勢手段をラチェット機構とは別に設けることもでき、外装キャップの遊転状態を確保して、一層確実にチャイルドレジスタント効果を発揮できるようになる。
【００１７】
また、この発明の請求項３記載の安全キャップは、請求項１または２記載の構成に加え、前記ラチェット機構を構成するラチェット歯部を、肉抜き構造として形成したことを特徴とするものである。
【００１８】
この安全キャップによれば、前記ラチェット機構を構成するラチェット歯部を、肉抜き構造として形成してあり、必要な外形部のみのラチェット歯部とすることで、ラチェットの機能を確保しつつ厚肉部をなくして樹脂による成形サイクルを短縮できるようにしている。
【００１９】
さらに、この発明の請求項４記載の安全キャップは、請求項１〜３のいずれかに記載の構成に加え、前記中栓部材の先端部と前記内装キャップとのシールに替え、または当該シールに加え、前記中栓部材に、内容物の漏洩を防止する弁機構を設けてなることを特徴とするものである。
【００２０】
この安全キャップによれば、前記中栓部材の先端部と前記内装キャップとのシールに替え、または当該シールに加え、前記中栓部材に、内容物の漏洩を防止する弁機構を設けてあり、安全キャップを取り除いても直ちに内容物が漏れ出ることを防止でき、一層使い易くなり、シールと弁機構とで保管時などの漏出を一層完全に防止できるようになる。
【００２１】
また、この発明の請求項５記載の安全キャップは、請求項１〜４のいずれかに記載の構成に加え、前記中栓部材と、前記容器内の内容物を受ける需要側部材との間に、弁体とこれを閉方向に付勢する付勢手段とを備えるソケットと、弁体とこれを閉方向に付勢する付勢手段とを備えるとともに、前記ソケットと着脱可能に嵌合連結され嵌合連結状態で両弁体を開放して連通可能なプラグとから構成されるカップラーのいずれか一方またはいずれか他方を設けてなることを特徴とするものである。
【００２２】
この安全キャップによれば、前記中栓部材と、前記容器内の内容物を受ける需要側部材との間に、弁体とこれを閉方向に付勢する付勢手段とを備えるソケットと、弁体とこれを閉方向に付勢する付勢手段とを備えるとともに、前記ソケットと着脱可能に嵌合連結され嵌合連結状態で両弁体を開放して連通可能なプラグとから構成されるカップラーのいずれか一方またはいずれか他方を設けるようにしており、容器と需要側部材とをソケットとプラグを介して嵌合連結することで、内容物を漏洩させることなく、確実に移すことができるようになる。
【００２３】
さらに、この発明の請求項６記載の安全キャップは、請求項１〜５のいずれかに記載の構成に加え、前記容器が、液体燃料用容器であることを特徴とするものである。
【００２４】
この安全キャップによれば、前記容器が液体燃料用容器であり、液体燃料を確実に密封しておくことができ、必要なときには、確実に取り出すことができるようになる。
【００２５】
また、この発明の請求項７記載の安全キャップは、請求項１〜６のいずれかに記載の構成に加え、前記容器が、メタノール用の容器であることを特徴とするものである。
【００２６】
この安全キャップによれば、前記容器が、メタノール用の容器であり、例えばメタノール燃料電池の燃料用のメタノール容器として必要な条件を満たすものとなる。
【発明の効果】
【００２７】
この発明の請求項１記載の安全キャップによれば、容器口部に取り付けられ先端が細い中栓部材と、この中栓部材を覆って容器口部の基端部のねじ部にねじ込まれ当該中栓部材の先端部とでシールされる内装キャップと、この内装キャップを覆って回転可能かつ限られた範囲で軸方向に移動可能に装着され押し下げ回転で前記内装キャップと一体化して回転可能とするとともに回転のみでは遊転可能とされた外装キャップとからなる安全キャップで、前記中栓部材を、容器口部先端に当てられる円板部から突出させて中栓部を形成して構成し、前記内装キャップの天面部内側に前記中栓部の細い先端部とのシールを確保するシール用パッキンを装着し、さらに、前記内装キャップの中間部内側に前記円板部に当接可能かつ締め代を規制する小径部を形成する一方、前記内装キャップの小径部の外側に円錐面状に構成された段差部を形成し、この段差部と前記外装キャップの天面とのいずれか一方に、押し下げ回転で一体化でき、回転のみで遊転させるラチェット機構を構成するラチェット歯部とラチェット爪部とのいずれか一方を設け、この段差部と前記外装キャップの天面とのいずれか他方に、ラチェット機構を構成するラチェット歯部とラチェット爪部とのいずれか他方を設けたので、中栓部の細い先端部は内装キャップの天面部内側のシール用パッキンで確実にシールすることができ、内装キャップの小径部を中栓部材の円板部に当てることで、内装キャップの締め代を規制して締め過ぎを防止できるとともに、小径の中栓部を備える場合でも必要な締め付けトルク（開栓トルク）を確保することができる。
容器口部に先端が細い中栓部材を備え、ねじ式の内装キャップと、この内装キャップを覆って回転可能かつ限られた範囲で軸方向に移動可能に装着され押し下げ回転で前記内装キャップと一体化して回転可能とするとともに回転のみでは遊転可能とされた外装キャップとからなる安全キャップで、前記中栓部材を、容器口部先端に当てられる円板部から突出させて中栓部を形成して構成し、前記内装キャップの中間部内側に前記円板部に当接可能かつ締め代を規制する小径部を形成したので、内装キャップの小径部を中栓部材の円板部に当てることで、内装キャップの締め代を規制して締め過ぎを防止することができるとともに、小径の中栓部を備える場合でも必要な締め付けトルク（開栓トルク）を確保することができる。
【００２８】
これにより、遊転状態を確実に確保してチャイルドレジスタント効果を発揮させることもできる。
【００２９】
また、前記内装キャップの小径部の外側に円錐面状の段差部を形成し、この段差部と前記外装キャップの天面とのいずれか一方に、押し下げ回転で一体化でき、回転のみで遊転させるラチェット機構を構成するラチェット歯部とラチェット爪部とのいずれか一方を設け、この段差部と前記外装キャップの天面とのいずれか他方に、ラチェット機構を構成するラチェット歯部とラチェット爪部とのいずれか他方を設けたので、内装キャップの小径部の外側に円錐面状に段差部を形成することで、空間を確保でき、この空間にラチェット機構を構成するラチェット歯部とラチェット爪部のいずれかを設けることで、ねじ式キャップを大幅に拡大することなくチャイルドレジスタント効果を発揮できる機構を設けることができる。
【００３０】
さらに、この発明の請求項２記載の安全キャップによれば、前記内装キャップと前記外装キャップとの間に、遊転状態を保持可能な付勢手段を設けたので、例えば内外装キャップの軸方向に移動可能な空間にばね部などの付勢手段をラチェット機構とは別に設けることもでき、外装キャップの遊転状態を確実に確保して、一層確実にチャイルドレジスタント効果を発揮させることができる。
【００３１】
また、この発明の請求項３記載の安全キャップによれば、前記ラチェット機構を構成するラチェット歯部を、肉抜き構造として形成したので、必要な外形部のみのラチェット歯部とすることで、ラチェットの機能を確保しつつ厚肉部をなくして樹脂による成形サイクルを短縮することができる。
【００３２】
さらに、この発明の請求項４記載の安全キャップによれば、前記中栓部材の先端部と前記内装キャップとのシールに替え、または当該シールに加え、前記中栓部材に、内容物の漏洩を防止する弁機構を設けたので、安全キャップを取り除いても直ちに内容物が漏れ出ることを防止することができ、一層安全性を向上して使い易くすることができるとともに、シールと弁機構とで保管時などの漏出を一層完全に防止することができる。
【００３３】
また、この発明の請求項５記載の安全キャップによれば、前記中栓部材と、前記容器内の内容物を受ける需要側部材との間に、弁体とこれを閉方向に付勢する付勢手段とを備えるソケットと、弁体とこれを閉方向に付勢する付勢手段とを備えるとともに、前記ソケットと着脱可能に嵌合連結され嵌合連結状態で両弁体を開放して連通可能なプラグとから構成されるカップラーのいずれか一方またはいずれか他方を設けるようにしたので、容器と需要側部材とをソケットとプラグを介して嵌合連結することで、内容物を漏洩させることなく、確実に移すことができる。
【００３４】
さらに、この発明の請求項６記載の安全キャップによれば、前記容器を液体燃料用容器としたので、液体燃料を安全かつ確実に密封しておくことができ、必要なときには、安全かつ確実に取り出すことができる。
【００３５】
また、この発明の請求項７記載の安全キャップによれば、前記容器をメタノール用の容器としてので、例えばメタノール燃料電池の燃料用のメタノール容器として必要な条件を満たすものとなり、安全かつ確実に密封しておくことができ、必要なときには、安全かつ確実に取り出すことができる。
【発明を実施するための最良の形態】
【００３６】
以下、この発明の一実施の形態を図面に基づき詳細に説明する。  
図１〜図４はこの発明の安全キャップの一実施の形態にかかり、図１（ａ）は外装キャップの遊転状態の部分縦断面図、（ｂ）は外装キャップの一体回転状態の部分縦断面図、図２は内装キャップの平面図、正面図、底面図および縦断面図、図３は外装キャップの平面図、正面図、底面図および縦断面図、図４は動作説明図で、（ａ）は遊転状態を、（ｂ）は一体回転状態をそれぞれ示す。
【００３７】
この安全キャップ２０が設けられて密封状態とされる容器は、すでに図５で説明した合成樹脂製の容器１が用いられ、容器口部２にねじ部３が形成されるとともに、先端にパッキン１１を介して合成樹脂製の中栓部材を構成する中栓６が嵌合連結されて円板部７の中心部から先端が細い中栓部８が突き出すようになっており、容器１側と中栓６側の係止用突条５，１０を係止することで嵌合連結状態を保持するようになっている。
【００３８】
このような容器１に設けられる安全キャップ２０は、合成樹脂製とされた内装キャップ２１と外装キャップ２２とで構成され、内装キャップ２１で中栓６を覆って容器口部２の基端部のねじ部３にねじ込んで密封状態にし、外装キャップ２２で内装キャップ２１を覆って回転可能かつ限られた範囲で軸方向に移動可能に装着しておき、外装キャップ２２を押し下げて回転する動作で内装キャップ２１と一体化して回転できるようにしたり、外装キャップ２２の回転動作のみでは遊転させることで、チャイルドレジスタント効果を備える安全キャップとして機能させるようにしてある。
【００３９】
このような安全キャップ２０の内装キャップ２１は、図１および図２に示すように、略底付きの２段の円筒状に形成されて底部分が天面とされ、基端部の大径円筒部２１ａの内周に容器１のねじ部３にねじ込まれるねじ部２１ｂが形成され、内装キャップ２１を容器１に締め付けたときに中栓部材を構成する中栓６の円板部７の上面と当接する位置に小径円筒状の小径部２１ｃの底面２１ｃ’が位置するように形成してある。
【００４０】
これにより、内装キャップ２１を容器１に締め付けたときに内装キャップ２１の天面と中栓６の先端の細い中栓部８とがパッキン１５を介して当接するのに加え、中栓部材を構成する中栓６の円板部７の上面と内装キャップ２１の小径部２１ｃの底面２１ｃ’とが当接することになり、従来の内装キャップ２１の天面と中栓６の先端が細い中栓部８との当接だけで内装キャップ２１のねじ込み過ぎを防止する場合に比べ、接触面積を大幅に拡大して当接させることで、有効にねじ込み過ぎを防止することができる。
【００４１】
したがって、内装キャップ２１を容器１のねじ部３にしっかり締め付けることができ、開栓トルクが大きくなり、簡単に開かないようにすることができる。
【００４２】
また、この内装キャップ２１には、天面部内側に、中栓６の先端が細い中栓部８を密封するためパッキン１５を装着して保持する水平な突条のパッキン保持部２１ｄが内側に突き出して形成してあり、大径円筒部２１ａの下端部外周に、外装キャップ２２の軸方向の移動を規制する水平に突き出した突条の軸方向移動規制部２１ｅが形成され、その下方に縦方向の凹凸が交互に全周に形成されたスカート部２１ｆが設けてある。
【００４３】
さらに、この内装キャップ２１には、２段の円筒状の大径円筒部２１ａと小径部２１ｃとの外側に段差部２１ｇが形成され、円錐面で構成してある。
【００４４】
この内装キャップ２１の円錐面で構成した段差部２１ｇには、外装キャップ２２の押し下げ回転動作で内装キャップ２１と一体化でき、外装キャップ２２の回転動作のみでは遊転させる機構としてラチェット機構２３のラチェット歯部２４が円周等間隔に複数個（図示例では、８個）設けてある。
【００４５】
このラチェット機構２３のラチェット歯部２４は、図２に示すように、段差部２１ｇの外周等間隔に形成され、各歯の時計回り前方側（図面上の左側）が段差部２１ｇの表面からの低い垂直面２４ａとされ、時計回り後方側（図面上の右側）が段差部２１ｇの表面から高い垂直面２４ｂとされ、これら低い垂直面２４ａと高い垂直面２４ｂとが傾斜面２４ｃとわずかな水平面２４ｄとで連結されて構成されているが、ここでは、低い垂直面２４ａより上方の傾斜面２４ｃ、水平面２４ｄおよび高い垂直面２４ｂがラチェット歯部２４として有効に機能させる部分である。
また、このラチェット歯部２４は、合成樹脂による中実構造とせず、略外形だけの肉抜き構造としてあり、低い垂直面２４ａと高い垂直面２４ｂとがそれぞれ縦の板状とされて低い垂直面の上部が傾斜面２４ｃとされ、高い垂直面２４ｂの上部が水平面２４ｄの一部とされ、これらの間が上から見て内周側のみに配置される水平面２４ｄの他の一部分で構成してある。
【００４６】
このようなラチェット歯部２４を肉抜き構造とすることで、内装キャップ２１の一部に厚肉の部分がなく、肉厚を全体にわたり略均一にできるので、樹脂成形の際の成形サイクルを、厚肉部に合わせる必要がなく、短縮して効率的に成形することができる。
【００４７】
また、ラチェット歯部２４を内装キャップ２１の段差部２１ｇを利用して形成することで、内装キャップ２１の高さを高くする必要がなくコンパクトにすることができる。
【００４８】
このような内装キャップ２１の外側に被せる外装キャップ２２は、図１および図３に示すように、略底つき円筒状に形成されて底部分が天面２２ａとされるようになっており、円筒部２２ｂの下端部内周に軸方向にある程度の範囲、すなわち内装キャップ２１と一体的に回転させたり、遊転させることができる範囲に軸方向の移動を規制するため移動規制部２２ｃが内側に突き出した水平の突条として形成され、内装キャップ２１の軸方向移動規制部２１ｅの下方に係止され、上方への移動が規制される。一方、下方への移動は外装キャップ２２の天面２２ａが内装キャップ２１の天面に当接することで規制され、これらの間で上下動できるようになっている（図１（ａ）の上端位置および（ｂ）の下端位置参照）。
【００４９】
また、この外装キャップ２２には、円筒部２２ａの外周側面に縦方向に並ぶ凹凸状の滑り止め２２ｄが形成してある。
【００５０】
さらに、外装キャップ２２には、外装キャップ２２の押し下げ回転動作で内装キャップ２１と一体化でき、外装キャップ２２の回転動作のみでは遊転させる機構としてラチェット機構２３のラチェット爪部２５が円周等間隔に複数個（図示例では、８個）設けてある。
【００５１】
このラチェット爪部２５は、天面２２ａから下方に突き出す板状に形成されて円周等間隔に放射方向に配置され、内装キャップ２１のラチェット機構２３のラチェット歯部２４と対向する位置に配置してある。そして、外装キャップ２２を押し下げた状態では、ラチェット爪部２５が内装キャップ２１のラチェット歯部２４の各歯の低い垂直面２４ａの上端より上方に位置させることができ、ラチェット歯部２４の傾斜面２４ｃまたは、高い垂直面２４ｂのいずれかに押し当てて回転することで、内装キャップ２１を開いたり、閉めたりすることができるようになる。
【００５２】
一方、外装キャップ２２を押し下げない状態では、ラチェット爪部２５が内装キャップ２１のラチェット歯部２４の各歯の傾斜面２４ｃなどの上面に位置することになり、このまま回転しても傾斜面２４ｃ上を滑ることで内装キャップ２１とは連結されない遊転状態となる。
【００５３】
このような安全キャップ２０で密封する容器１には、予め中栓６の円筒部９の内側の円板部７に当てるようにパッキン１１を装着したのち、容器１の容器口部２の先端に被せるように嵌合し、容器１の係止用突条５に中栓６の係止用突条１０を係止することで嵌合連結状態としておく。
【００５４】
そして、安全キャップ２０の内装キャップ２１の小径部２１ｃの天面にパッキン１５を装着したのち、容器１のねじ部３に軽くねじ込むように装着する。
【００５５】
さらに、この内装キャップ２１を覆うように外装キャップ２２を被せ、内装キャップ２１の軸方向移動規制部２１ｅを外装キャップ２２の移動規制部２２ｃが乗越えるまで押し込んで外装キャップ２２が内装キャップ２１に対して上下方向(軸方向)には限られた範囲で移動でき、しかも内装キャップ２１と同心上で回転できるようにする。
【００５６】
そして、内装キャップ２１を締め付けて容器１を密封する場合には、外装キャップ２２を押し込みながら時計回りに回転すると、図４（ｂ）に示すように、外装キャップ２２の押し下げによって内装キャップ２１の段差部２１ｇのラチェット機構２３のラチェット歯部２４の傾斜面２４ｃなどの上面に外装キャップ２２のラチェット爪部２５が位置した状態から外装キャップ２２の回転によって高い垂直面２４ｂにラチェット爪部２５が当たり、外装キャップ２２の回転を内装キャップ２１に伝達して一体的に回転して内装キャップ２１を容器１に締め付けることができる。
【００５７】
また、逆に外装キャップ２２を押し込みながら反時計回りに回転すると、ラチェット歯部２４の傾斜面２４ｃにラチェット爪部２５が強く当たり、傾斜面２４ｃに沿って上昇せずにその高さを保ち、押し下げ力を加えたままの外装キャップ２２の回転を内装キャップ２１に伝達して一体的に回転して内装キャップ２１を容器１から外して内装キャップ２１ごと取り外すことができる。
【００５８】
一方、外装キャップ２２を押し下げずに反時計回りに回転して安全キャップ２０を取り外そうとすると、図４(ａ)に示すように、ラチェット機構２３のラチェット歯部２４の傾斜面２４ｃ上をラチェット爪部２５が滑るように上昇し、外装キャップ２２の回転を内装キャップ２１に伝達することができずに遊転して内装キャップ２１を回転して容器１から取り外すことができない。これにより、チャイルドレジスタント効果を奏するものとなり、誤まって安全キャップ２０を取り外すことを防止することができる。
【００５９】
したがって、このような安全キャップ２０を用いることで、容器１内の内容物を誤まって漏洩させたり、子供などが誤まって取り出すことを防止することができる。
【００６０】
また、このラチェット機構２３では、遊転方向に回転する場合に、ラチェット爪部２５がラチェット歯部２４に沿って移動するだけであり、遊転トルク（空回りトルク）をほとんど零にすることができ、例えば開栓トルクを３０〜４０ｃＮ・ｍ程度としても遊転トルクを略零にすることで、チャイルドレジスタント効果を明確にすることができる。
【００６１】
なお、上記実施の形態では、ラチェット機構２３のラチェット歯部２４を内装キャップ２１に、ラチェット爪部２５を外装キャップ２２に設けるようにしたが、逆に設けてラチェット機構を構成するようにしても良い。
【００６２】
また、上記実施の形態では、容器に入れる内容物については、特に説明していないが、容器内に入れて密封状態で保管する必要があるもの、あるいは密封状態で保管しておき開封後も再び密封状態にする必要があるものなど、容器および内容物についてはなんら限定するものでない。例えば燃料電池用の燃料用容器のキャップとすれば、燃料を誤まって漏洩したり、子供などが誤まって取り出すことを防止することができ、特に、メタノール燃料電池の燃料であるメタノール用容器のキャップとすれば、安全に密封して使用することができる。
【００６３】
さらに、中栓部材としての中栓６の先端部と内装キャップ２１とのシールをパッキン１５を介装することで行うようにしたが、パッキンに代えて内装キャップに中栓部材の先端と接触してシールする突起部を形成したり、中栓部材の先端部を先細のテーパ面とし、内装キャップにこのテーパ面と接するテーパリングを一体に形成して互いを接触させることでシールするなど、他のシール手段を設けるようにしても良い。なお、中栓部材である中栓６に弁機構を設ける場合には、中栓６と内装キャップ２１との間のシールを省略することも可能であり、両方のシール機能で一層安全に保管したり使用することができる。
【００６４】
以上、詳細に説明したように、この安全キャップ２０によれば、容器口部２に先端が細い中栓部材としての中栓６を備えたねじ式の内装キャップ２１と、この内装キャップ２１を覆って回転可能かつ限られた範囲で軸方向に移動可能に装着され押し下げ回転で内装キャップ２１と一体化して回転可能とするとともに回転のみでは遊転可能とされた外装キャップ２２とからなる安全キャップ２０で、中栓６を、容器口部２の先端に当てられる円板部７から突出させて中栓部８を形成して構成し、内装キャップ２１の中間部内側に円板部７に当接可能かつ締め代を規制する小径部２１ｃを形成したので、内装キャップ２１の小径部２１ｃを中栓６の円板部７に当てることで、内装キャップ２１の締め代を規制して締め過ぎを防止することができるとともに、小径の中栓部７を備える場合でも必要な締め付けトルク（開栓トルク）を確保することができる。
【００６５】
また、この安全キャップ２０によれば、内装キャップ２１の小径部２１ｃの外側に段差部２１ｇを形成することで、空間を確保でき、この空間にラチェット機構２３を構成するラチェット歯部２４とラチェット爪部２５のいずれかを設けることで、ねじ式キャップ２０を大幅に拡大することなくチャイルドレジスタント効果を発揮できる機構２３を設けることができる。
【００６６】
また、この安全キャップ２０によれば、ラチェット機構２３を構成するラチェット歯部２４を肉抜き構造として形成したので、必要な外形部２４ａ〜２４ｄのみのラチェット歯部２４とすることで、ラチェットの機能を確保しつつ厚肉部をなくして樹脂による成形サイクルを短縮することができる。
【００６７】
さらに、この安全キャップ２０によれば、容器１を液体燃料用容器としてそのキャップとしたり、メタノール燃料電池の燃料用のメタノール容器としてそのキャップとしても、必要な条件を満たすものとなり、安全かつ確実に密封しておくことができ、必要なときには、安全かつ確実に取り出すことができる。
【００６８】
なお、この安全キャップ２０において、内装キャップ２１と外装キャップ２２との間、例えば内装キャップ２１の天面と外装キャップ２２の天面２２ａのいずれか一方に、軸方向に移動可能な空間を利用してばね部などの付勢手段を一体に形成するようにすれば、ばね部によって内装キャップ２１に対して外装キャップ２２を引き離すようにすることができ、安全キャップ２０の高さ自体を抑えながら外装キャップ２２の遊転状態を確実に確保して一層確実にチャイルドレジスタント効果を発揮させることができる。
【００６９】
さらに、この安全キャップ２０において、中栓部材である中栓６に、内容物の漏洩を防止する弁機構として、中栓部８に逆止弁を設けるようにすれば、安全キャップ２０を取り除いても直ちに内容物が漏れ出ることを防止することができ、チャイルドレジスタント効果に加え、一層安全性を向上して使い易くすることができる。  なお、この中栓部材である中栓６に弁機構を設ける場合には、中栓６と内装キャップ２１との間のシールを省略して機構を簡素化することも可能であり、併設すれば、両方のシール機能で一層安全に保管したり使用することができるようになる。
【００７０】
また、この安全キャップ２０において、中栓部材である中栓６の中栓部８に、容器１内の内容物を受ける需要側部材との間に、弁体とこれを閉方向に付勢する付勢手段とを備えるソケットと、弁体とこれを閉方向に付勢する付勢手段とを備えるとともに、前記ソケットと着脱可能に嵌合連結され嵌合連結状態で両弁体を開放して連通可能なプラグとから構成されるカップラーのいずれか一方またはいずれか他方を設けて容器１と需要側部材とをソケットとプラグを介して嵌合連結するようにすれば、内容物を漏洩させることなく、確実に容器１から需要側部材に移すことができる。特に、弁体とこれを閉方向に付勢する付勢手段として金属製コイルバネとを備えるソケットと、弁体とこれを閉方向に付勢する付勢手段として金属製コイルばねとを備え、ソケットと着脱可能に嵌合連結され嵌合連結状態で両弁体を開放して連通可能なプラグとから構成されるカップラーとし、両弁体の基端部に当該弁体が開閉方向に往復移動可能かつシール可能に装着されるハウジングを設け、このハウジングに前記弁体を付勢する前記付勢手段を収納するとともに、このハウジングの外側に流路を形成するようにすれば、金属製コイルばねをハウジング内に収納して、液体との接触を防止することができる。
【００７１】
これにより、メタノール燃料電池の場合のように容器１内のメタノールと金属との接触を防止する必要がある場合にも、簡単にカップラーで着脱して金属と接触させずに安全キャップ２０を外した容器１から液体などを供給したり、取り出したりすることができる。
【図面の簡単な説明】
【００７２】
【図１】この発明の安全キャップの一実施の形態にかかり、（ａ）は外装キャップの遊転状態の部分縦断面図、（ｂ）は外装キャップの一体回転状態の部分縦断面図である。
【図２】この発明の安全キャップの一実施の形態にかかる内装キャップの平面図、正面図、底面図および縦断面図である。
【図３】この発明の安全キャップの一実施の形態にかかる外装キャップの平面図、正面図、底面図および縦断面図である。
【図４】この発明の安全キャップの一実施の形態にかかる動作説明図で、（ａ）は遊転状態を、（ｂ）は一体回転状態をそれぞれ示す。
【図５】この発明の安全キャップが用いられる中栓を備えた容器と従来のキャップの部分縦断面図である。
【符号の説明】
【００７３】
１            容器
２            容器口部
３            ねじ部
４            段差部
５            係止用突条
６            中栓(中栓部材)
７            円板部
８            中栓部
９            円筒部
１０          係止用突条
１１、１５    パッキン
２０          安全キャップ
２１          内装キャップ
２１ａ        大径円筒部
２１ｂ        ねじ部
２１ｃ        小径部
２１ｃ’      底面
２１ｄ        パッキン保持部
２１ｅ        軸方向移動規制部
２１ｆ        スカート部
２１ｇ        段差部
２２          外装キャップ
２２ａ        天面
２２ｂ        円筒部
２２ｃ        移動規制部
２２ｄ        滑り止め
２３          ラチェット機構
２４          ラチェット歯部
２４ａ        低い垂直面
２４ｂ        高い垂直面
２４ｃ        傾斜面
２４ｄ        水平面
２５          ラチェット爪
【図１】
0004844807.tif 000002
【図２】
0004844807.tif 000003
【図３】
0004844807.tif 000004
【図４】
0004844807.tif 000005
【図５】
0004844807.tif 000006